(57)【要約】【課題】記録領域を部分重畳して光情報の記録密度を高め、選択された記録領域の隣接した領域で再生された隣接再生光をサーボ制御用光として用いて光情報処理装置の構成を単純化させ、限界角度を外れる角度は限界角度範囲内の角度に変更して参照光を照射することによって光情報格納媒体の格納効率を高めること。【解決手段】本発明による光情報処理装置、光情報サーボ制御方法、光情報記録方法、光情報再生方法は、光情報の記録時にトラック毎に異なるオフセット角度を有する多重化角度で光情報を多重記録及び再生し、限界角度を外れた多重化角度は、限界角度範囲内の角度に変更して多重記録及び再生し、共に再生される異なるトラックの再生光を用いてサーボ制御を行なう。【選択図】図１
2007293309.tif 000002
【特許請求の範囲】
【請求項１】
互いに隣接する複数の記録領域を有する光情報格納媒体に上記記録領域より広く参照光を入射する光学系と、
上記光情報格納媒体で再生される光のうち選択された記録領域で再生される選択再生光は通過させ、上記記録領域の周辺で再生される隣接再生光を分離するフィルタと、
上記フィルタで分離された上記選択再生光を検出する再生光検出器と、
上記フィルタで分離された上記隣接再生光を検出する隣接再生光検出器と、
上記隣接再生光検出器で検出された上記隣接再生光を比較して上記選択再生光の再生条件を制御する制御部とを備えることを特徴とする光情報処理装置。
【請求項２】
上記フィルタの上記隣接再生光が入射される面には、上記隣接再生光を反射させる反射層が形成されたことを特徴とする請求項１記載の光情報処理装置。
【請求項３】
上記光情報格納媒体と上記フィルタとの間には、上記再生光の偏光方向を変更する波長板が備えられ、上記波長板と上記光情報格納媒体との間には上記フィルタで反射された上記隣接再生光を上記隣接再生光検出器に進行させる偏光ビームスプリッタが備えられたことを特徴とする請求項２記載の光情報処理装置。
【請求項４】
上記再生条件は、上記参照光の入射角度、上記光情報格納媒体のティルティング状態のうちいずれか一つであることを特徴とする請求項１記載の光情報処理装置。
【請求項５】
上記記録領域は、複数個のトラックを形成し、上記参照光は上記トラック毎に異なるオフセット角度を有する多重化角度に入射されることを特徴とする請求項１記載の光情報処理装置。
【請求項６】
上記トラックは、互いに異なる直径を有する円形、螺旋型、直線、サインカーブ（ｓｉｎｅ  ｃｕｒｖｅ）形態のうちいずれか一つからなることを特徴とする請求項５記載の光情報処理装置。
【請求項７】
上記光情報格納媒体は、ディスク（ｄｉｓｋ）、カード（ｃａｒｄ）形態のうちいずれか一つからなることを特徴とする請求項１記載の光情報処理装置。
【請求項８】
上記トラック内の互いに隣接した上記記録領域と上記トラック間の互いに隣接した上記記録領域は部分的に重畳されたことを特徴とする請求項５記載の光情報処理装置。
【請求項９】
上記選択再生光の検出は上記トラックのうち最初トラックと最後トラックを除外した残りの上記トラックから検出することを特徴とする請求項５記載の光情報処理装置。
【請求項１０】
光情報格納媒体に光情報がローディングされた信号光を入射し、
上記光情報格納媒体に多数の記録領域にできたトラックを形成するために上記トラック毎に異なるオフセット角度を有する参照光を多重角度に入射することを特徴とする光情報記録方法。
【請求項１１】
上記多重角度が入射可能な限界角度を外れた時、上記参照光を上記限界角度範囲内の角度に変更して記録領域を形成する段階をさらに含むことを特徴とする請求項１０記載の光情報記録方法。
【請求項１２】
上記トラック内の互いに隣接した上記記録領域と上記トラック間の互いに隣接した上記記録領域は部分的に重畳されたことを特徴とする請求項１０記載の光情報記録方法。
【請求項１３】
上記トラックのうち最初トラックと最後トラックは光の回折再生だけのためのダミーデータが記録されたダミートラックで形成されることを特徴とする請求項１０記載の光情報記録方法。
【請求項１４】
上記参照光の多重角度と上記オフセット角度は小さい角度より大きい角度へと変更させつつ入射することを特徴とする請求項１０記載の光情報記録方法。
【請求項１５】
上記限界角度から外れる角度を上記限界角度範囲内の角度に変更する時には大きい角度から小さい角度へと変更させつつ入射することを特徴とする請求項１０記載の光情報記録方法。
【請求項１６】
互いに隣接する複数の記録領域を有する光情報格納媒体で選択された記録領域に上記選択された記録領域より広く参照光を入射し、
上記選択された記録領域の隣接記録領域で再生される複数の隣接再生光を検出し、
上記隣接再生光を比較して選択再生光の再生条件を制御した後、上記選択再生光を取得することを特徴とする光情報再生方法。
【請求項１７】
上記記録領域に入射される参照光は、入射できる限界角度まで照射され、上記限界角度を外れる入射角は上記限界角度範囲内の角度に変更されて照射されることを特徴とする請求項１６記載の光情報再生方法。
【請求項１８】
上記再生条件は、上記参照光の入射角度、上記光情報格納媒体のティルティング状態のうちいずれか一つであることを特徴とする請求項１６記載の光情報再生方法。
【請求項１９】
上記記録領域は、複数個のトラックを形成し、上記参照光は上記トラック毎に異なるオフセット角度を有する多重化角度に入射されることを特徴とする請求項１６記載の光情報再生方法。
【請求項２０】
上記トラック内の互いに隣接した上記記録領域と上記トラック間の互いに隣接した上記記録領域は部分的に重畳されたことを特徴とする請求項１９記載の光情報再生方法。
【請求項２１】
上記選択再生光の取得は、上記トラックのうち上記光情報格納媒体の最初トラックと最後トラックを除外した残りの上記トラックから取得することを特徴とする請求項１６記載の光情報再生方法。
【請求項２２】
互いに隣接する複数の記録領域を有する光情報格納媒体で選択された記録領域に上記記録領域より広く参照光を入射し、
上記選択された記録領域の隣接記録領域で再生される複数の隣接再生光を取得し、
上記隣接再生光を比較して選択再生光の再生条件を制御することを特徴とする光情報サーボ制御方法。
【請求項２３】
上記再生条件は、上記参照光の入射角度、上記光情報格納媒体のティルティング状態のうちいずれか一つであることを特徴とする請求項２２記載の光情報サーボ制御方法。
【請求項２４】
上記複数の隣接再生光の取得は、上記隣接再生光の偏光方向を変え、上記隣接再生光を上記隣接再生光が進行する反対方向に反射させ、反射された上記隣接再生光の経路を変更させ、経路が変更された上記隣接再生光の光量を検出することを特徴とする請求項２２記載の光情報サーボ制御方法。
【請求項２５】
上記記録領域に入射される参照光は、入射できる限界角度まで照射され、上記限界角度を外れる入射角は、上記限界角度範囲内の角度に変更されて照射されることを特徴とする請求項２２記載の光情報サーボ制御方法。
【発明の詳細な説明】
【技術分野】
【０００１】
本発明は光情報処理装置、光情報処理装置のサーボ制御方法、光情報記録方法、光情報再生方法に関する。より詳しくは、光情報の記録時にトラック毎に異なるオフセット角度を有する多重化角度で光情報を多重記録及び再生し、限界角度を外れた多重化角度は、限界角度範囲内の角度に変更して多重記録及び再生し、共に再生される異なるトラックの再生光を用いてサーボ制御を遂行するようにする光情報処理装置、光情報サーボ制御方法、光情報記録方法、光情報再生方法に関するものである。
【背景技術】
【０００２】
光学的なデータ処理装置は、ＤＶＤ、ＨＤ-ＤＶＤ、ブルーレイディスク（ＢＤ）、近接場光情報処理装置、ホログラフィック光情報処理装置などがある。
【０００３】
ホログラフィック光情報処理装置は、光変調された信号光とこの信号光と交差して格納媒体に干渉紋を作る参照光を格納媒体に入射してデータを格納する。そして、データの再生は参照光だけを格納媒体の干渉紋に入射し、このとき、干渉紋で発生した回折によって格納媒体に入力されたデータが出力されるようにする。
【０００４】
ホログラフィック光情報処理装置は、記録容量を増大させるために参照光を一つの光点（ｂｅａｍ  ｓｐｏｔ）に異なる角度で照射して多重にデータを格納することができる。そして、多重入力されたデータは、再生時、参照光だけを異なる角度で照射して出力できる。すなわち、ホログラフィック光情報処理装置は一つの光点に多層、重畳（オーバーラップ）状態のデータ入力と出力が可能な超大容量データ格納装置である。
【０００５】
ホログラフィック光情報処理装置は、データの記録密度を高めるために光を多重化する方法を使用する。光を多重化させる方法では、角度多重化、位相コード多重化、波長多重化、シフト多重化などの方法がある。ここで、角度多重化方法は参照光の入射角度を変化させ多重化することであり、位相コード多重化は空間的に位相を変調して多重化することであり、波長多重化は波長可変レーザを用いて波長変化によって多重化することであり、シフト多重化は格納媒体を移動させつつ記録を多重化する方法がある。
【０００６】
一方、多重化されて記録された光情報の再生時に選択された記録領域の光情報だけでなく選択されない隣接した記録領域の光情報と共に一部再生されることができる。この場合、選択されない記録領域の光情報は、再生時雑音成分になるため、選択された記録領域で再生される光情報の再生効率を落とすことができる。これを防止するために選択されない記録領域で再生される光を遮断する技術がある。これに対する先行技術ではトムソンライセンシング（Ｔｈｏｍｓｏｎ  ｌｉｃｅｎｓｉｎｇ）社の出願にかかる国際出願公開番号ＷＯ２００４／１０２５４１、「Ｈｉｇｈ  ｄａｔａ  ｄｅｎｓｉｔｙ  ｖｏｌｕｍｅｔｒｉｃ  ｈｏｌｏｇｒａｐｈｉｃ  ｄａｔａ  ｓｔｏｒａｇｅ  ｍｅｔｈｏｄ  ａｎｄ  ｓｙｓｔｅｍ」がある。上記国際公開特許の場合はフィルタを用いて選択されない記録領域で再生される光を遮断させると開示している。
【０００７】
一方、記録されたホログラフィック光情報の正確な再生のためにサーボ制御が行われなければならない。これのために先行技術が日本国の「オプトウェア社」の出願にかかる米国公開特許２００５-００３０８７６、「Ｏｐｔｉｃａｌ  ｉｎｆｏｒｍａｔｉｏｎ  ｒｅｃｏｒｄｉｎｇ  ａｐｐａｒａｔｕｓ  ａｎｄ  ｏｐｔｉｃａｌ  ｉｎｆｏｒｍａｔｉｏｎ  ｒｅｐｒｏｄｕｃｉｎｇ  ａｐｐａｒａｔｕｓ」に開示されている。上記米国公開特許の場合はサーボ制御のために別途のレーザ光源を使用すると開示している。
【０００８】
しかしながら、上述した通り、上記米国公開にかかる技術はサーボ制御のために別途のレーザ光源を使用するため、サーボ制御のための光学系と装置の構成が複雑になり、また波長が異なるサーボ制御用光源を使用するため、光情報格納媒体の構成も複雑になる問題点がある。
【特許文献１】国際出願公開第ＷＯ２００４／１０２５４１号
【特許文献２】米国公開特許第２００５-００３０８７６号
【発明の開示】
【発明が解決しようとする課題】
【０００９】
本発明の目的は、別途のサーボ制御用光を用いることなく、光情報の再生時選択された記録領域周辺の隣接記録領域で再生された隣接再生光を検出して光情報再生のためのサーボ制御が可能になるようにした光情報処理装置及び光情報再生方法、光情報サーボ制御方法を提供することにある。
【００１０】
本発明の他の目的は、多数の記録領域で構成されたトラックに光情報を記録する時、それぞれのトラック毎に異なるオフセット角度を有する参照光を多重角度に入射し、限界角度範囲を外れる角度は限界角度範囲内の角度に変更して光情報を記録及び再生するようにする光情報記録方法、光情報再生方法を提供することにある。
【課題を解決するための手段】
【００１１】
前述した目的を達成するための本発明による光情報処理装置は、互いに隣接する複数の記録領域を有する光情報格納媒体に上記記録領域より広く参照光を入射する光学系と、上記光情報格納媒体で再生される光のうち選択された記録領域で再生される選択再生光は通過させ、上記記録領域の周辺で再生される隣接再生光は分離するフィルタと、上記フィルタで分離された上記選択再生光を検出する再生光検出器と、上記フィルタで分離された上記隣接再生光を検出する隣接再生光検出器と、上記隣接再生光検出器で検出された上記隣接再生光を比較して上記選択再生光の再生条件を制御する制御部とを備える。
【００１２】
前述した目的を達成するための本発明による光情報記録方法は、光情報格納媒体に光情報がローディングされた信号光を入射し、上記光情報格納媒体に多数の記録領域からなったトラックを形成するために上記トラック毎に異なるオフセット角度を有する参照光を多重角度に入射することを特徴とする。
【００１３】
前述した目的を達成するための本発明による光情報再生方法は、互いに隣接する複数の記録領域を有する光情報格納媒体で選択された記録領域に上記選択された記録領域より広く参照光を入射し、上記選択された記録領域の隣接記録領域で再生される複数の隣接再生光を検出し、上記隣接再生光を比較して選択再生光の再生条件を制御した後、上記選択再生光を取得することを特徴とする。
【００１４】
前述した目的を達成するための本発明による光情報処理装置のサーボ制御方法は、互いに隣接する複数の記録領域を有する光情報格納媒体で選択された記録領域に上記記録領域より広く参照光を入射し、上記選択された記録領域の隣接記録領域で再生される複数の隣接再生光を取得し、上記隣接再生光を比較して選択再生光の再生条件を制御することを特徴とする。
【発明の効果】
【００１５】
以上のような本発明による光情報処理装置及び光情報記録方法、光情報再生方法、光情報サーボ制御方法は、記録領域を部分重畳して光情報の記録密度を高め、選択された記録領域の隣接した領域で再生された隣接再生光をサーボ制御用光として用いて光情報処理装置の構成を単純化させ、限界角度を外れる角度は限界角度範囲内の角度に変更して参照光を照射することによって光情報格納媒体の格納効率を高める効果がある。
【発明を実施するための最良の形態】
【００１６】
以下では本発明による光情報処理装置に対する実施形態に対して説明する。図１は本発明の実施形態による光情報処理装置を示す概略図である。図１に示されたように本発明の実施形態による光情報処理装置は、光源（１００）を備え、光源（１００）で放出された光を信号光と参照光とに分離させる第１光分割器（１１０）を含む。
【００１７】
第１光分割器（１１０）は、偏光光分割器に水平偏光（Ｓ―Ｐｏｌａｒｉｚａｔｉｏｎ）の性質を有する信号光（Ｓ波）は９０度方向に透過させ、垂直偏光（Ｐ―Ｐｏｌａｒｉｚａｔｉｏｎ）の性質を有する参照光（Ｐ波）はそのまま透過させる。第１光分割器（１１０）により光で分離された参照光の経路には光情報格納媒体（２１０）に参照光を入射させるための回転ミラー（１２０）が置かれる。回転ミラー（１２０）は参照光を多重角度で照射するためのガルバノミラーを使用することができる。
【００１８】
第１光分割器（１１０）により光で分離された信号光の経路には反射ミラー（１３０）が配置されて光拡張器（１５０）へ信号光を案内する。光拡張器（１５０）は信号光が光変調器（１６０）の大きさに合うように拡張されてデータを積載できるように光を拡張させる。光拡張器（１５０）と反射ミラー（１３０）との間にはシャッタ（１４０）が備えられて光情報記録時開放されて信号光を通過させ、光情報再生時は遮蔽されて信号光を遮断する。次いで、光情報データを積載するための光変調器（１６０）が配置される。そして、光変調器（１６０）以後にはレンズ（１７０ａ、１７０ｂ）と第１フィルタ（１８０）が設けられる。第１フィルタ（１８０）はレンズ（１７０ａ）を通過した光でスパイク性雑音を除去させて強度分布が平坦な光を形成する。
【００１９】
第１フィルタ（１８０）以後にはλ／２偏光板（１９０）が置かれて信号光はＰ偏光に変換され、以後第１フーリエ変換レンズ（２００）によりフーリエ変換されて格納媒体（２１０）に入射される。格納媒体（２１０）はフォトポリマー（Ｐｈｏｔｏ  Ｐｏｌｙｍｅｒ）系列の物質が使われることができ、記録領域によりトラックが形成されるディスク形式やカード形式からなることができる。格納媒体（２１０）に形成されるトラックは互いに異なる直径を有する円形、螺旋型、直線、サインカーブ（ｓｉｎｅｃｕｒｖｅ）形態を有してもよい。
【００２０】
格納媒体（２１０）以後には再生された光をフォーカシングするための２つのレンズ（２２０ａ、２２０ｂ）が配置され、レンズ（２２０ａ）とレンズ（２２０ｂ）との間に第２光分割器（２３０）とλ／４偏光板（２４０）が置かれる。λ／４偏光板（２４０）は必要な偏光方向の光を選択するために使われ、格納媒体（２１０）で再生されるＰ偏光の再生光が第２フィルタ（２５０）で反射されて戻る時Ｓ偏光に変える役割をする。
【００２１】
２番目のレンズ（２２０ｂ）の次には第２フィルタ（２５０）が置かれ、第２フィルタ（２５０）以後第２フーリエ変換レンズ（２６０）が配置される。第２フィルタ（２５０）は中央に選択された記録領域の再生光だけを通過させることができるようにホール（２５１）を備え、表面に反射層（２５２）が形成されて隣接記録領域で生成された隣接再生光を反射させる。
【００２２】
第２フィルタ（２５０）を通過した選択された記録領域の再生光は、配置された再生光検出器（２７０）で検出される。再生光検出器（２７０）はＣＣＤ（Ｃｈａｒｇｅ―ｃｏｕｐｌｅｄ  ｄｅｖｉｃｅ）又はＣＭＯＳ（ｃｏｍｐｌｅｍｅｎｔａｒｙ）のようなピクセルアレイ（ｐｉｘｅｌ  ａｒｒａｙ）で構成された画像認識装置を使用してもよい。
【００２３】
第２フィルタ（２５０）の反射層で反射されたＰ偏光の隣接再生光はλ／４偏光板（２４０）を通過しつつＳ偏光に変わって第２光分割器（２３０）で９０度方向に透過され、隣接再生光を隣接再生光検出器（２９０）に案内するレンズ（２８０）を通過して隣接再生光検出器（２９０）で検出される。隣接再生光検出器（２９０）はフォトダイオードからなることができる。
【００２４】
隣接再生光検出器（２９０）で検出された光情報は、制御部（３００）に伝達され、制御部（３００）は隣接再生光の光情報を分析して回転ミラー（１２０）の回転角度又は光情報格納媒体（２１０）のティルティング状態を制御できる。
【００２５】
図２は本発明の実施形態による光情報処理装置でサーボ制御用隣接再生光検出器の受光状態を示す平面図である。図２に示されたように隣接再生光検出器（２９０）は２つのフォトダイオード（２９１）（２９２）を備える。このような隣接再生光検出器（２９０）は隣接再生光を検出して隣接再生光の光量情報を制御部（３００）に伝達するようになり、制御部（３００）は隣接再生光の光量によって回転ミラー（１２０）の回転角度を調節したり、光情報格納媒体（２１０）のティルティング状態をサーボ制御する。
【００２６】
一方、前述したように構成された本発明の実施形態による光情報処理装置によって光情報が記録される光情報格納媒体（２１０）は多数の記録領域を有する。図３は本発明の実施形態による光情報格納媒体のトラック構成を示す図面である。図３に示されたように本発明の実施形態での光情報格納媒体（２１０）は互いに直径が異なる多数の第１トラック（Ｔ１）、第２トラック（Ｔ２）、第３トラック（Ｔ３）で第nトラック（Ｔｎ）まで構成される。そしてそれぞれのトラック（Ｔ１、Ｔ２、Ｔ３．．．Ｔｎ）は多数の記録領域からなる。
【００２７】
図４は光情報格納媒体に記録された光情報記録領域の重畳記録状態を示す図面である。図４に示されたようにそれぞれの記録領域は互いに隣接した記録領域が互いに一部重畳されて形成される。すなわち、一種のシフト多重化形態で記録される。具体的に第１トラック（Ｔ１）に含まれる第１記録領域（ＬＡＹＥＲ１）、第２記録領域（ＬＡＹＥＲ２）、そして第３記録領域（ＬＡＹＥＲ３）は各々が第２トラック（Ｔ２）に含まれる第１記録領域（ＬＡＹＥＲ１）、第２記録領域（ＬＡＹＥＲ２）、そして第３記録領域（ＬＡＹＥＲ３）と部分的に重畳され、第２トラック（Ｔ２）の第１記録領域（ＬＡＹＥＲ１）、第２記録領域（ＬＡＹＥＲ２）、第３記録領域（ＬＡＹＥＲ３）は第３トラック（Ｔ３）の第１記録領域（ＬＡＹＥＲ１）、第２記録領域（ＬＡＹＥＲ２）、そして第３記録領域（ＬＡＹＥＲ３）と各々部分的に重畳される。
【００２８】
同一トラックに位置する記録領域も同一トラックの隣接した記録領域と部分的に重畳される。このような重畳記録は光情報の記録密度を高めるためである。そして、隣接した位置の重畳された記録領域から再生される隣接再生光を光情報再生時サーボ制御用に使用するために一つの記録領域より広い参照光（Ｄ）を照射する。
【００２９】
以下では本発明の実施形態による光情報記録方法に対して説明する。図５は本発明の実施形態による光情報記録方法を示すブロックフローチャートである。図５に示されたように本発明の実施形態による光情報記録方法は、先に光情報格納媒体（２１０）にデータが積載された信号光を入射する（Ｓ１００）。以後、複数の記録領域を有する格納媒体（２１０）を生成するためにそれぞれのトラック毎に異なるオフセット角度を有する参照光を多重角度に入射する（Ｓ１１０）。
【００３０】
参照光の角度が入射されることができる限界角度に達すれば（Ｓ１２０）、限界角度範囲内の角度で参照光入射角度を変更（Ｓ１３０）して格納媒体（２１０）に入射させ、記録領域が形成される（Ｓ１４０）。これに対し以下の表１と図６ａ、図６ｂを参照してより具体的に実施形態を説明する。
【００３１】
【表１】
2007293309.tif 000003
【００３２】
表１は、光情報格納媒体に多数のトラックを形成し、それぞれのトラックに１１個の記録領域を形成する時の多重化角度を例示的に示すものである。表１に示されたように同一トラック内で隣接する記録領域は０.１度の角度で多重化される。そして、それぞれのトラックが有する記録領域は異なるオフセット角度を有する。
【００３３】
すなわち、第１トラックの場合は、０.０１度のオフセット角度を有し、第２トラックは０.０２度、第３トラックは０.０３度、第１００トラックは１.００度のオフセット角度を有する。これはトラック別に０.０１度ずつの差異を有するオフセット角度を用いて多重化角度で光情報を記録することを意味する。このとき、光情報格納媒体で最も直径が短いトラックと最も直径が長いトラックは、ダミーデータ（ｄｕｍｍｙ  ｄａｔａ）を有するダミートラック（ｄｕｍｍｙ  ｔｒａｃｋ）であり、実質的な光情報が記録されないサーボ制御のためのトラックであると見られる。
【００３４】
表１の場合はトラック別オフセット角度を０.０１度ずつ変化させて記録領域を形成した。それぞれのトラック間オフセット角度は選択図カーブ（ａｎｇｌｅ  ｓｅｌｅｃｔｉｖｉｔｙ  ｃｕｒｖｅ）によって設定されることができ、トラック間オフセット角度の差が大きくなれば選択されたトラックの周辺トラックで再生される再生光の光量が小さく、トラック間オフセット角度の差が小さくなれば回転ミラーの角度調節が容易でないため、適当なオフセット角度の差が重要である。
【００３５】
しかしながら、多数のトラックを有する光情報格納媒体（２１０）である場合、トラック間オフセット角度の差を適当に設定しても記録領域を形成させることができる限界トラック、すなわち、角度を調節するアクチュエータ及びレンズが角度を調節することができる範囲内のトラックを除外した残りのトラックには記録領域を形成することは難しい。
【００３６】
記録領域の重畳限界は図６ａに示されており、図６ａは光情報格納媒体記録領域の重畳限界を示す簡略図である。例えば、角度調節が容易な範囲、すなわち、限界角度が１.５０度とする時、表１に示されたように、第５０トラックの場合、０.５０のオフセット角度を有するようになり、第１記録領域は０.５０度、第２記録領域は０.６０度、第３記録領域は０.７０度、第４記録領域は０.８０度、第５記録領域は０.９０度、第６記録領域は１.００度、第７記録領域は１.１０度、第８記録領域は１.２０度、第９記録領域は１.３０度、第１０記録領域は１.４０度、第１１記録領域は１.５０度で形成される。
【００３７】
従って、第１トラックから第５０トラックまでは第１記録領域から第１１記録領域が全て形成されることができるが、第５１トラックは第１記録領域が０.５１度から始まって第１１記録領域では１.５１度の値を有するため、限界角度１.５０度を超過して第１１記録領域を形成できなくなる。
【００３８】
限界角度で、第５１トラックから第６０トラックまでは第１記録領域から第１０記録領域、第６１トラックから第７０トラックまでは第１記録領域から第９記録領域、第７１トラックから第８０トラックまでは第１記録領域から第８記録領域、第８１トラックから第９０トラックまでは第１記録領域から第７記録領域、第９１トラックから１００トラックまでは第１記録領域から第６記録領域だけが形成される。
【００３９】
格納媒体（２１０）の格納容量を活用するためには図６ｂのようで限界角度範囲内の角度で参照光の照射角度を変更して他の記録領域を形成することが重要である。図６ｂは限界角度を外れた参照光を限界角度範囲内の角度に変更して光情報格納媒体に記録領域を形成した簡略図である。
【００４０】
格納容量の活用のために限界角度の範囲に変更させる参照光の角度は、トラックに記録された光情報を再生時、選択されたトラックとその周辺トラックで出る再生光量の差を区別できるように変更しなければならない。従って、元来の記録方法と同じように同一トラック内に隣接する記録領域は０.１度で多重化させ、トラック間の隣接する第１記録領域は０.０１度ずつ差をおいて記録することが望ましい。
【００４１】
例えば、第１００トラックの場合は、第１記録領域を１.００度から形成したので、限界範囲０.０１度〜０.９９度以下の角度を活用した記録領域は存在しない。従って、第１記録領域から第６記録領域まで形成した後に、第１２記録領域（０.９０度）、第１３記録領域（０.８０度）、第１４記録領域（０.７０度）などのような順序で記録領域を追加的に形成し、トラック及び記録領域増加時、格納媒体の格納容量を更に活用できる。
【００４２】
図７は本発明の実施形態による光情報再生方法を示すフローチャートである。図４に示されたように互いに隣接した複数の記録領域を有する光情報格納媒体（２１０）に選択された一つの記録領域を含みつつ、更に面積が拡張された参照光（Ｄ）を入射可能な限界角度まで照射する（Ｓ２００）。
【００４３】
限界角度以上の角度に達すれば（Ｓ２１０）、限界角度範囲内の角度に変更して参照光を入射する（Ｓ２２０）。このとき、選択された記録領域より参照光の面積が大きいため、隣接した記録領域でも再生光が発生する。
【００４４】
選択された記録領域の選択再生光と隣接した記録領域の隣接再生光は、光情報格納媒体（２１０）で発生してフィルタ（２５０）に進行され、選択された記録領域の再生光はフィルタのホール（２５１）を通過し、隣接再生光はフィルタ表面の反射層（２５２）で反射される。反射された隣接再生光は隣接再生光検出器（２９０）で検出（Ｓ２３０）され、隣接再生光の光情報によって選択再生光の再生条件が制御（Ｓ２４０）されて選択再生光の光情報検出（Ｓ２５０）が行われる。
【００４５】
隣接再生光検出器（２９０）で検出される光情報は以下で説明する図８を参照する。図８は本発明の実施形態による光情報処理装置により選択されたトラックの光情報が再生される時、隣接トラックで発生された再生光の光量を比較して示すグラフである。
【００４６】
選択された記録領域を含みつつ、更に面積が拡張された参照光を光情報格納媒体（２１０）の選択記録領域に照射すれば、選択された記録領域はもちろん選択された記録領域に隣接した隣接記録領域の再生光まで発生される。これは記録密度を高めるために記録領域の一部と隣接した記録領域の一部を重畳して格納媒体（２１０）に記録したためである。
【００４７】
しかしながら、選択された記録領域で最大光量を検出できる角度と隣接した記録領域で最大光量を検出できる角度は各々異なるため、光量の差を比較できる。
【００４８】
それぞれのトラックで検出した光量を比較すると、第１トラックの第１記録領域は０.０１度の角度で回折効率が最も大きく、第２トラックの第１記録領域は０.０２度、第３トラックの第１記録領域は０.０３度で回折効率が最も大きい。
【００４９】
例えば、第２トラックに形成された第１記録領域の光情報を再生する場合、正確に０.０２度の入射角で参照光を照射すれば、第２トラックで発生する選択再生光の光量（I２）は第１トラックと第３トラックで再生される隣接再生光の光量（Ｉ１、Ｉ３）より大きく、第１トラックと第３トラックで発生される再生光の光量（Ｉ１、Ｉ３）は互いに類似する値を有する。
【００５０】
しかしながら、入射角度が一方向に偏ったり変化されれば第１トラックと第３トラックで発生する再生光の光量（Ｉ１、Ｉ３）差は大きくなる。このような現象は照射される角度の影響だけでなく、光情報格納媒体のティルティング状態と収縮状態によっても影響を受ける。
【００５１】
従って、制御部（３００）は第１トラックと第３トラックで発生する再生光の光情報を分析し、上記光情報によって入射角度を調節して第２トラックで生成される再生光の光情報を正確に検出できる。
【００５２】
図９は図８によってサーボ制御が行われる方法を示すフローチャートである。
【００５３】
まず、互いに隣接した複数の記録領域を有する光情報格納媒体（２１０）に選択された一つの記録領域を含みつつ、更に面積が拡張された参照光を入射可能な限界角度まで照射する（Ｓ３００）。以後、限界角度以上の角度に達すれば（Ｓ３１０）、限界角度範囲内の角度に変更して参照光を入射する（Ｓ３２０）。
【００５４】
このとき、選択された記録領域より参照光の面積が大きいため、隣接した記録領域でも再生光が発生する。選択された記録領域の選択再生光と隣接した記録領域の隣接再生光は光情報格納媒体（２１０）で発生してフィルタ（２５０）へ進行され、選択された記録領域の再生光はフィルタのホール（２５１）を通過し、隣接再生光はフィルタ表面の反射層（２５２）で反射される。このとき、フィルタのホール（２５１）大きさは一つの記録領域で再生された再生光だけを通過させる大きさで形成されている。従って、選択された記録領域の選択再生光はフィルタのホール（２５１）を通過するが、隣接記録領域で再生された隣接再生光はフィルタのホール（２５１）が通過できなくてフィルタ表面の反射層（２５２）に向かう。
【００５５】
隣接再生光の光情報は、隣接再生光検出器で検出（Ｓ３３０）され、サーボ制御用で使われる。以後、隣接再生光の光量差異によって正確な位置へのサーボ制御が行われる
（Ｓ３４０）。
【００５６】
前述したような本発明の実施形態による光情報処理装置及びこれのためにサーボ制御方法、光情報記録方法、光情報再生方法、そして光情報サーボ制御方法は、当業者によって構成要素の一部又は方法の一部を変形して異なるように実施できる。すなわち、例えば、フィルタに別途の反射層を形成することなく、フィルタ自体に受光素子を装着して隣接再生光の強度が取得でき、又は３つ以上の受光素子を設けて３個所以上の位置に対する光の強度を検出することによって、さらに正確なサーボ制御が可能になる。しかしながら、このような変形された他の実施形態が本発明の必須構成要素を含まれば全て本発明の技術的範疇に含まれるとみるべきである。
【図面の簡単な説明】
【００５７】
【図１】本発明の実施形態による光情報処理装置を示す構成図である。
【図２】本発明の実施形態による光情報処理装置でサーボ制御用隣接再生光検出器の受光状態を示す平面図である。
【図３】本発明の実施形態による光情報処理装置で光情報格納媒体のトラック構成を示す図面である。
【図４】光情報格納媒体に記録された光情報記録領域の重畳記録状態を示す図面である。
【図５】本発明の実施形態による光情報記録方法を示すブロックフローチャートである。
【図６ａ】光情報格納媒体にトラックの増加で記録領域の重畳限界を示す簡略図である。
【図６ｂ】限界角度を外れた参照光を限界角度範囲内の角度に変更して光情報格納媒体に記録領域を形成した簡略図である。
【図７】本発明の実施形態による光情報再生方法を示すフローチャートである。
【図８】本発明の実施形態による光情報処理装置により選択されたトラックの光情報が再生される時、隣接トラックで発生した再生光の光量を比較して示すグラフである。
【図９】図８によってサーボ制御が行われる方法を示すフローチャートである。
【符号の説明】
【００５８】
１００  光源
１１０  第１光分割器
１２０  回転ミラー
１４０  シャッタ
１５０  光拡張器
１６０  光変調器
１７０ａ、１７０ｂ  レンズ
２１０  格納媒体
２５０  フィルタ
【図１】
2007293309.tif 000004
【図２】
2007293309.tif 000005
【図３】
2007293309.tif 000006
【図４】
2007293309.tif 000007
【図５】
2007293309.tif 000008
【図６ａ】
2007293309.tif 000009
【図６ｂ】
2007293309.tif 000010
【図７】
2007293309.tif 000011
【図８】
2007293309.tif 000012
【図９】
2007293309.tif 000013